【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
後退位置と伸展位置との間を移動可能なパンタグラフリンク機構と、四節リンク機構と、を備えるレッグレスト機構であって、
前記パンタグラフリンク機構は、
駆動部材に第一端部が回転可能に連結される第一支持リンクと、
第一端部と、第二端部と、前記第一端部および前記第二端部の間に設けられた中間部とを有する揺動リンクであって、前記第一端部は、家具部材のフレームに対して回転可能に連結され、前記中間部は前記第一支持リンクに回転可能に連結される揺動リンクと、
前記揺動リンクの前記第二端部に回転可能に連結され、前記第一支持リンクとのなす角度が前記後退位置および前記伸展位置の両方で一定であるように、前記第一支持リンクに対して方向づけられる第二支持リンクと、
前記第一支持リンクに回転可能に連結され、かつ、前記第二支持リンクに回転可能に連結される第一クロスリンクと、
前記第二支持リンクに回転可能に連結され、かつ、前記第一クロスリンクに支持部材により接続される第二クロスリンクと、を備え、
前記四節リンク機構は、前記第二クロスリンクに接続され、前側ボードリンクおよび後側ボードリンクと、前記前側ボードリンクおよび前記後側ボードリンクに回転可能に連結されるブラケットリンクとを備え、前記伸展位置と前記後退位置との間の前記パンタグラフリンク機構の移動に応じて、前記第二クロスリンクに対して回転可能であり、前記ブラケットリンクは、レッグレスト台を装着支持している、
ことを特徴とするレッグレスト機構。
【請求項２】
請求項１に記載のレッグレスト機構であって、
前記四節リンク機構は、前記パンタグラフリンク機構が前記伸展位置と前記後退位置との間を移動するのにしたがい、前記第二クロスリンクに対して連続的に回転し、
前記四節リンク機構のこのような連続回転は、前記パンタグラフリンク機構の移動全範囲にわたって起こる
ことを特徴とするレッグレスト機構。
【請求項３】
請求項２に記載のレッグレスト機構であって、
前記第一クロスリンクは、前記第一支持リンクの第二端部に回転可能に連結され、かつ、前記第二支持リンクの中間部に回転可能に連結される
ことを特徴とするレッグレスト機構。
【請求項４】
請求項１に記載のレッグレスト機構であって、
前記前側ボードリンクおよび前記後側ボードリンクは、前記第二クロスリンクに回転可能に連結されている、
ことを特徴とするレッグレスト機構。
【請求項５】
請求項４に記載のレッグレスト機構であって、
前記支持部材は、前記後側ボードリンクの一部分である
ことを特徴とするレッグレスト機構。 
【請求項６】
請求項１に記載のレッグレスト機構であって、
前記前側ボードリンクおよび前記後側ボードリンクは、前記第一クロスリンクに回転可能に連結されている、
ことを特徴とするレッグレスト機構。
【請求項７】
請求項６に記載のレッグレスト機構であって、
前記支持部材は、前記後側ボードリンクに対して回転可能な第三支持リンクである
ことを特徴とするレッグレスト機構。
【請求項８】
請求項４または請求項６に記載のレッグレスト機構であって、
前記レッグレスト台は前記ブラケットリンクに固着されている
ことを特徴とするレッグレスト機構。
【請求項９】
請求項１に記載のレッグレスト機構であって、
前記パンタグラフリンク機構は、前記第一クロスリンクと前記第二クロスリンクとの間にわたり、かつ、前記第一クロスリンクと前記第二クロスリンクに回転可能に連結される第三支持リンクを備える
ことを特徴とするレッグレスト機構。
【請求項１０】
請求項１に記載のレッグレスト機構であって、
前記第一支持リンクは第一ストップ部材を備え、前記駆動リンクは、前記パンタグラフリンク機構が前記伸展位置にある場合、前記第一ストップ部材と干渉する第二ストップ部材を備える
ことを特徴とするレッグレスト機構。
【請求項１１】
請求項１に記載のレッグレスト機構であって、
前記第二支持リンクおよび前記第一クロスリンクに回転可能に連結され、オットマン台を固定支持するオットマンリンクとをさらに備える
ことを特徴とするレッグレスト機構。
【請求項１２】
請求項１に記載のレッグレスト機構であって、
前記四節リンク機構は、前記後退位置において前記パンタグラフリンク機構と干渉し、それによりレッグレスト機構の移動範囲を制限するストップ部材を備える
ことを特徴とするレッグレスト機構。
【請求項１３】
後退位置と伸展位置との間を移動可能なパンタグラフリンク機構と、補助リンク機構と、を備えるレッグレスト機構であって、
前記パンタグラフリンク機構は、
駆動部材に第一端部が回転可能に連結される第一支持リンクと、
前記第一支持リンクに回転可能に連結される中間部を備える揺動リンクと、
前記揺動リンクに回転可能に連結され、前記第一支持リンクとのなす角度が前記後退位置および前記伸展位置の両方で一定であるように、前記第一支持リンクに対して方向づけられる第二支持リンクと、
前記第二支持リンクに回転可能に連結されるクロスリンクと、を備え、
前記補助リンク機構は、前記クロスリンクに接続され、前側ボードリンクと、後側ボードリンクと、レッグレスト台を固定支持するブラケットリンクとを備え、前記補助リンク機構は、前記伸展位置と前記後退位置との間の前記パンタグラフリンク機構の移動に応じて、前記クロスリンクに対して回転可能である
ことを特徴とするレッグレスト機構。
【請求項１４】
請求項１３に記載のレッグレスト機構であって、
前記補助リンク機構は、前記パンタグラフリンク機構が前記伸展位置と前記後退位置との間を移動するのにしたがい、前記クロスリンクに対して連続的に回転し、
前記補助リンク機構のそのような連続回転は、前記パンタグラフリンク機構の移動の全範囲にわたって起こる、ことを特徴とするレッグレスト機構。
【請求項１５】
請求項１３に記載のレッグレスト機構であって、 
前記クロスリンクは、別のクロスリンクに支持部材により接続される
ことを特徴とするレッグレスト機構。
【請求項１６】
請求項１５に記載のレッグレスト機構であって、
前記別のクロスリンクは、前記第一支持リンクに回転可能に連結され、かつ、前記第二支持リンクに回転可能に連結される
ことを特徴とするレッグレスト機構。
【請求項１７】
請求項１６に記載のレッグレスト機構であって、
前記パンタグラフリンク機構は、両方の前記クロスリンクの間にわたり、かつ、前記クロスリンクに回転可能に連結される第三支持リンクを備える
ことを特徴とするレッグレスト機構。
【請求項１８】
請求項１３に記載のレッグレスト機構であって、
前記揺動リンクの第一端部は、家具部材のフレームに回転可能に連結される
ことを特徴とするレッグレスト機構。
【請求項１９】
請求項１８に記載のレッグレスト機構であって、
前記揺動リンクの第二端部は、前記第二支持リンクに回転可能に連結される
ことを特徴とするレッグレスト機構。
【請求項２０】
請求項１３に記載のレッグレスト機構であって、
前記第一支持リンクは第一ストップ部材を備え、
前記駆動リンクは、前記パンタグラフリンク機構が前記伸展位置にある場合、前記第一ストップ部材と干渉する第二ストップ部材を備える
ことを特徴とするレッグレスト機構。  
【請求項２１】
請求項２０に記載のレッグレスト機構であって、
前記補助リンク機構は、前記後退位置において前記パンタグラフリンク機構と干渉し、それにより前記レッグレスト機構の移動範囲を制限するストップ部材を備える
ことを特徴とするレッグレスト機構。